(57)【要約】仮想現実携帯電話は、ディスプレイを含むメイン胴体、メイン胴体の後面から可変距離を維持することができる接眼プレート、及びメイン胴体と接眼プレートの間に介在され、メイン胴体に対し、接眼プレートが密着した密着状態及び所定の距離を維持する離隔状態の間で接眼プレートを移動させるスクリーン及び距離調節部材を含み、前記スクリーン及び距離調節部材は互いに重なりながら後方にスライド移動するとか固定される複数のスクリーンダクトを含む。
2019520777.tif 000002
【特許請求の範囲】
【請求項１】
前面にメインディスプレイ及び後面に仮想現実ディスプレイを含むメイン胴体と、
前記メイン胴体の後面から可変距離を維持することができる接眼プレートと、
前記メイン胴体及び前記接眼プレートの間に介在され、前記メイン胴体に対し、前記接眼プレートが密着した密着状態及び所定の距離を維持する離隔状態の間で前記接眼プレートを移動させるスクリーン及び距離調節部材と、を含み、
前記スクリーン及び距離調節部材は、互いに重なりながら後方にスライド移動するとか固定される複数のスクリーンダクトを含むことを特徴とする、仮想現実携帯電話。
【請求項２】
前面にディスプレイを含むメイン胴体と、
前記メイン胴体を逆転可能に収容するメインフレームと、
前記メインフレームの後面から可変距離を維持することができる接眼プレートと、
前記メインフレーム及び前記接眼プレートの間に介在され、前記メインフレームに対し、前記接眼プレートが密着した密着状態及び所定の距離を維持する離隔状態の間で前記接眼プレートを移動させるスクリーン及び距離調節部材と、を含み、
前記スクリーン及び距離調節部材は互いに重なりながら後方にスライド移動するとか固定される複数のスクリーンダクトを含み、
前記接眼プレートが前記離隔状態にある場合、逆転された前記メイン胴体の前記ディスプレイが後方に向かうようにして仮想現実機能を具現することができることを特徴とする、仮想現実携帯電話。
【請求項３】
前面にディスプレイを含むメイン胴体と、
前記メイン胴体を逆転可能に収容するメインフレームと、
前記メインフレームの後面から可変距離を維持することができる接眼プレートと、
前記メインフレーム及び前記接眼プレートの間に介在され、前記メインフレームに対し、前記接眼プレートが密着した密着状態及び所定の距離を維持する離隔状態の間で前記接眼プレートを移動させるスクリーン及び距離調節部材と、を含み、
前記スクリーン及び距離調節部材はベローズ状の遮光スクリーンを含み、
前記接眼プレートが前記離隔状態にある場合、逆転された前記メイン胴体の前記ディスプレイが後方に向かうようにして仮想現実機能を具現することができることを特徴とする、仮想現実携帯電話。
【請求項４】
前面にメインディスプレイ及び後面に仮想現実ディスプレイを含むメイン胴体と、
前記メイン胴体の後面から可変距離を維持することができる接眼プレートと、
前記メイン胴体及び前記接眼プレートの間に介在され、前記メイン胴体に対し、前記接眼プレートが密着した密着状態及び所定の距離を維持する離隔状態の間で前記接眼プレートを移動させる距離調節部材と、
前記メイン胴体及び前記接眼プレートの間に介在され、前記接眼プレートの前記離隔状態で外部光の流入を遮断する遮光スクリーンと、を含むことを特徴とする、仮想現実携帯電話。
【請求項５】
前記スクリーンダクトは、前記密着状態又は前記離隔状態を固定するために、前記内壁又は前記外壁から突出した弾性突起を含み、前記弾性突起に対応して他のスクリーンダクトの外壁又は外壁には突起収容孔が形成されたことを特徴とする、請求項１又は２に記載の仮想現実携帯電話。
【請求項６】
前記スクリーン及び距離調節部材又は距離調節部材は前記メイン胴体の側面の全部又は一部を収容し、前記メイン胴体の側面から後方にスライド移動することを特徴とする、請求項１又は４に記載の仮想現実携帯電話。
【請求項７】
前記スクリーン及び距離調節部材又は距離調節部材は前記メインフレームの側面の全部又は一部を収容し、前記メイン胴体の側面から後方にスライド移動することを特徴とする、請求項２又は３に記載の仮想現実携帯電話。
【請求項８】
前記スクリーンダクトは内壁及び前記内壁から離隔した外壁を含む二重壁の構造に形成されたことを特徴とする、請求項１又は２に記載の仮想現実携帯電話。
【請求項９】
前記スクリーンダクトは、前記内壁に形成された第１通気口及び前記外壁に形成された第２通気口を含み、前記第１通気口及び前記第２通気口は互いにずれるように形成されることによって外部から光が流入することを遮断することを特徴とする、請求項８に記載の仮想現実携帯電話。
【請求項１０】
前記スクリーン及び距離調節部材は、
前記メインフレーム及び前記接眼プレートの間に介在され、前記密着状態及び前記離隔状態の間で前記接眼プレートを移動させる距離調節部、及び前記メインフレームと前記接眼プレートの間に介在され、前記接眼プレートの前記離隔状態で外部光の流入を遮断する遮光スクリーンを含むことを特徴とする、請求項２に記載の仮想現実携帯電話。
【請求項１１】
前記遮光スクリーンは前記メイン胴体及び前記接眼プレートの間にベローズ状として提供されることを特徴とする、請求項４に記載の仮想現実携帯電話。
【請求項１２】
前記距離調節部材は、一端で互いに回転可能に連結される第１リンク及び第２リンクを含み、前記第１リンクの他端は前記メイン胴体に回転可能に連結され、前記第２リンクの他端は前記接眼プレートに回転可能に連結されることを特徴とする、請求項３、４及び９のいずれか一項に記載の仮想現実携帯電話。
【請求項１３】
前記第１リンクは、長さ調節及び固定ができるように、相互間の重畳長を調節することができる２個以上のロッドを含むことを特徴とする、請求項１２に記載の仮想現実携帯電話。
【請求項１４】
前記接眼プレートは、焦点及び相互間の幅の調整が可能な一対の接眼レンズを含むことを特徴とする、請求項１〜４のいずれか一項に記載の仮想現実携帯電話。
【請求項１５】
前記接眼プレートを介して、前記離隔状態の前記仮想現実携帯電話を使用者の顔面に固定させることができる固定部材をさらに含むことを特徴とする、請求項１〜４のいずれか一項に記載の仮想現実携帯電話。
【請求項１６】
前記固定部材は、前記メイン胴体の後面の左右端部から後方に引出できるように装着された耳掛け部を含むことを特徴とする、請求項１５に記載の仮想現実携帯電話。
【請求項１７】
前記接眼プレートの前記密着状態で前記接眼プレートの後面を開閉する後面カバーをさらに含むことを特徴とする、請求項１〜４のいずれか一項に記載の仮想現実携帯電話。
【請求項１８】
前記後面カバーに匂い発生部又は風発生部が装着されたことを特徴とする、請求項１７に記載の仮想現実携帯電話。
【発明の詳細な説明】
【技術分野】
【０００１】
本発明は仮想現実携帯電話に関し、より詳しくは、仮想現実を体験することができるモジュールが一体型に提供された携帯電話に関する。
【背景技術】
【０００２】
仮想現実（Ｖｉｒｔｕａｌ  Ｒｅａｌｉｔｙ）は任意の特定の環境又は状況を人為的に作り、それを使う人がまるで実際の周辺状況及び環境と相互作用していることのようにする人間とコンピュータ間のインターフェースを言う。仮想現実とは、人工現実（ａｒｔｉｆｉｃｉａｌ  ｒｅａｌｉｔｙ）、サイバー空間（ｃｙｂｅｒｓｐａｃｅ）、仮想世界（ｖｉｒｔｕａｌ  ｗｏｒｌｄｓ）、仮想環境（ｖｉｒｔｕａｌ ｅｎｖｉｒｏｎｍｅｎｔ）、合成環境（ｓｙｎｔｈｅｔｉｃ  ｅｎｖｉｒｏｎｍｅｎｔ）、人工環境（ａｒｔｉｆｉｃｉａｌ  ｅｎｖｉｒｏｎｍｅｎｔ）などの用語と混用することもある。
【０００３】
仮想現実の使用目的は人々が日常的に経験しにくい環境を直接体験しなくてもその環境にあるように見せるとともに操作することができるようにするもので、その応用分野は、教育、遠隔操作、遠隔衛星表面探査、探査資料分析、科学的視覚化（ｓｃｉｅｎｔｉｆｉｃ  ｖｉｓｕａｌｉｚａｔｉｏｎ）などである。
【０００４】
近年、スマートフォンが広く普及されるに従って仮想現実が再び注目されている。一例として、ＳＡＭＳＵＮＧがオクルスと共同で製作したギアＶＲ、ＬＧの‘Ｇ３  ＶＲ’、グーグルのカードボードが代表的であり、これらの製品はスマートフォンと連動して仮想現実を体験して見ることができるようにし、既存のＶＲ装備に比べて価格が安い。
【発明の概要】
【発明が解決しようとする課題】
【０００５】
本発明は仮想現実機能を含む携帯電話を提供する。
【０００６】
本発明は別に携帯する必要がなく、ＶＲ機能を所望の時間及び場所ですぐ具現することができる携帯電話を提供する。
【課題を解決するための手段】
【０００７】
本発明の例示的な一実施例によると、仮想現実携帯電話は、前面にメインディスプレイ及び後面に仮想現実ディスプレイを含むメイン胴体と、前記メイン胴体の後面から可変距離を維持することができる接眼プレートと、前記メイン胴体及び前記接眼プレートの間に介在され、前記メイン胴体に対し、前記接眼プレートが密着した密着状態及び所定の距離を維持する離隔状態の間で前記接眼プレートを移動させるスクリーン及び距離調節部材とを含み、前記スクリーン及び距離調節部材は、互いに重なりながら後方にスライド移動するとか固定される複数のスクリーンダクトを含む。
【０００８】
本発明の他の一実施例によると、仮想現実携帯電話は、前面にディスプレイを含むメイン胴体と、前記メイン胴体を逆転可能に収容するメインフレームと、前記メインフレームの後面から可変距離を維持することができる接眼プレートと、前記メインフレーム及び前記接眼プレートの間に介在され、前記メインフレームに対し、前記接眼プレートが密着した密着状態及び所定の距離を維持する離隔状態の間で前記接眼プレートを移動させるスクリーン及び距離調節部材とを含み、前記接眼プレートが前記離隔状態にある場合、逆転された前記メイン胴体の前記ディスプレイが後方に向かうようにして仮想現実機能を具現することができる。
【０００９】
本発明による仮想現実携帯電話は、一般携帯電話と仮想現実モジュールが一体化するとともに携帯が可能な構造に結合することにより、一般携帯電話としても劣らなく、場所と時間に関係なく仮想現実機能を具現することができる。
【００１０】
仮想現実機能で具現することができる機能が増加することによって仮想現実有用度は増加するはずであるが、従来のように別途の補助装置を携帯することはこのようなニーズを満たすことができない。
【００１１】
したがって、スクリーン及び距離調節部材によって携帯電話から接眼プレートを可変長さで維持することができる構造を形成するとともに、前記スクリーン及び距離調節部材は互いに重なりながら後方にスライド移動するとか固定される複数のスクリーンダクトを含むことによって外部光の流入を遮断する遮光スクリーン機能も同時に具現することができる。
【００１２】
また、メインフレーム内にメイン胴体が逆転可能に装着されるので、普段には一般的な用途に使うが、仮想現実機能のためにメイン胴体が逆転して後方に向かうように転換されることができる。参考として、本明細書で、メインフレームはメイン胴体の側面の全部を収容する必要はなく、３面を収容するとか回転軸に隣接した２面のみ収容する構造として提供されることも可能である。
【００１３】
仮想現実ディスプレイ及び接眼プレートを用いた仮想現実機能は多様な方式で具現されることができる。例えば、従来のカードボードのように仮想現実ディスプレイを左右に分割し、一対の接眼レンズを用いて立体的な効果を具現することもできるが、接眼プレートに偏光レンズを装着する偏光めがね方式又は接眼プレートにおいて、時間差を置いて左右接眼レンズを開閉するシャッターガラス方式なども本発明に適用可能である。この他にも、仮想現実の具現又は立体表示に対する多様な方式のディスプレイ及びレンズの組合せが具現可能である。
【００１４】
接眼プレートは、仮想現実機能を使っていないうちに、メイン胴体に密着した密着状態を維持し、仮想現実機能を使っているうちにはメイン胴体から離隔して所定の距離を維持する離隔状態を維持しなければならない。このために、接眼プレートはメイン胴体に対して固定されずに可変距離を形成しなければならない。このために、スクリーン及び距離調節部材にスクリーンダクトの相互間の摩擦及び固定力又はベローズ方式を用いるとかあるいは距離調節部材にリンク構造を用いて接眼プレートを密着状態及び離隔状態の間で移動させることができる。
【００１５】
例えば、スクリーン及び距離調節部材は複数のスクリーンダクトから具現されることができ、スクリーンダクトの相互間の摩擦及び固定力を用いて逆転されたメイン胴体のディスプレイと接眼プレート間の離隔状態を維持し、外部光を遮断することができる。他の方法として、スクリーン及び距離調節部材は、前記メインフレーム及び前記接眼プレートの間に介在され、前記密着状態及び前記離隔状態の間で前記接眼プレートを移動させる距離調節部、及び前記メインフレームと前記接眼プレートの間に介在され、前記接眼プレートの前記離隔状態で外部光の流入を遮断する遮光スクリーンをさらに備えることもできる。
【００１６】
また、接眼プレートは、微細調整ができるように、可変距離を形成しなければならない。なぜなら、人ごとに視力、眉間距離、目の形状などの生物学的特性が違うから、これを調節する必要がある。このために、レンズを前後に移動させる方式を用いることもできるがスクリーン及び距離調節部材を多様な方式で構成することで、接眼プレートを密着状態及び離隔状態の間で移動させることもできる。
【００１７】
そして、距離調節部材は、必要によって微細な距離が調整できるように、又は接眼ディスプレイの角度、ディスプレイの横軸に対するずれも独立的に調節することができるように提供されることもできる。
【００１８】
遮光スクリーンは接眼プレートの離隔状態で外部光の流入を遮断するためのもので、スクリーンの両端がメイン胴体及び接眼プレートの両者に固定されることもできるが、いずれか一方に固定されてから離隔状態で他方に固定されることもできる。
【００１９】
遮光スクリーンの素材も多様な素材の選択が可能である。例えば、伸縮性に優れた纎維材を用いることもでき、形態的にはベローズ状として提供されることもできる。
【００２０】
スクリーン及び距離調節部材をスクリーンダクトから具現する場合、スクリーンダクトが単一壁の構造に形成されることもできるが、堅固な支持構造及び軽量化のために、二重壁構造として提供されることができる。すなわち、二重壁構造のために、スクリーンダクトは内壁及び外壁を含むことができ、内壁と外壁の間には最小の離隔空間が形成されることができる。
【００２１】
また、仮想現実ディスプレイから発生する熱又は電磁波を解決するために、スクリーンダクトには通気口が形成されることができる。しかし、通気口を通じて外部から光が直接流入することができるから、二重壁構造のスクリーンダクトにおいては内壁に第１通気口を形成し、外壁には第２通気口を形成するとともに、第１通気口と第２通気口が互いに重ならないように、つまりずれるように形成することによって外部から光が直接流入しないようにすることもできる。
【００２２】
スクリーン及び距離調節部材は沒入度のために外部光を効果的に遮断するだけであるから、メイン胴体と接眼プレートの間を完全に遮断することの他にも元の機能を毀損しない範囲内で一部開放することも可能である。
【００２３】
また、仮想現実機能をもっと本物らしく具現するため、離隔状態の携帯電話を使用者の顔面に固定させることができる固定部材をさらに含むことができる。固定部材は一般マスクの耳掛け形態、めがねの耳掛け部、ヘルメットマウント又は弾性バンドなどの多様な形態として提供されることができる。
【００２４】
本発明の仮想現実携帯電話は、接眼プレートの密着状態で前記接眼プレート及びメイン胴体の後面を開閉する後面カバーをさらに含むこともできる。後面カバーは接眼プレートを保護する用途の他にも、仮想現実のコンテンツと連動して特定の匂いを発生させる匂い発生部又は風を発生させる風発生部をさらに含むこともできる。
【発明の効果】
【００２５】
本発明による仮想現実携帯電話は、一般携帯電話と仮想現実モジュールを一体化し、携帯可能な構造に結合することにより、一般携帯電話としても劣ることなく、場所及び時間に関係なく仮想現実機能を具現することができる。仮想現実機能で具現可能な機能が増えるとともに、従来のように別途の補助装置を携帯する必要がないので、使用者の便宜を改善することができる。
【００２６】
また、メインフレーム内にメイン胴体が逆転可能に装着されるので、単一ディスプレイで一般モニターとしてだけでなく仮想現実モニターとしても使用可能である。
【００２７】
また、スクリーン及び距離調節部材によって携帯電話から接眼プレートを可変長さで維持することができる構造を形成し、同じ構造で外部光の流入を遮断する遮光スクリーンの機能を同時に具現することができるので、全体的な構造を簡単に維持し、高級なスライド移動及び堅固性を同時に得ることができる。
【００２８】
このような特徴は、スクリーンダクトを二重壁で形成することによって倍加した効果を得ることができ、互いにずれた通気口の形成及び軽量化構造によって使用者の便宜をもっと向上させることができる。
【図面の簡単な説明】
【００２９】
【図１】本発明の一実施例による仮想現実携帯電話の斜視図である。
【図２】図１の仮想現実携帯電話を後面で示す分解斜視図である。
【図３】図１の仮想現実携帯電話の側面図である。
【図４】本発明の一実施例による仮想現実携帯電話のうちスクリーン及び距離調節部材を説明するための断面図である。
【図５】本発明の一実施例による仮想現実携帯電話のうちスクリーン及び距離調節部材を説明するための部分拡大断面図である。
【図６】本発明の一実施例による仮想現実携帯電話のうちスクリーン及び距離調節部材を説明するための部分拡大側面図である。
【図７】本発明の一実施例による仮想現実携帯電話を説明するための側面図である。
【図８】本発明の他の実施例による仮想現実携帯電話を説明するための斜視図である。
【図９】本発明の一実施例による仮想現実携帯電話の斜視図である。
【図１０】図９の仮想現実携帯電話を後面で示す分解斜視図である。
【図１１】図９の仮想現実携帯電話の密着状態を示す断面図である。
【図１２】図９の仮想現実携帯電話の離隔状態を示す断面図である。
【図１３】本発明の一実施例による仮想現実携帯電話の斜視図である。
【図１４】図１３の仮想現実携帯電話を後面で示す分解斜視図である。
【図１５】図１３の仮想現実携帯電話の側面図である。
【図１６】本発明の一実施例による仮想現実携帯電話のうち距離調節部材を説明するための部分拡大図である。
【図１７】本発明の一実施例による仮想現実携帯電話の斜視図である。
【図１８】図１７の仮想現実携帯電話を後面で示す分解斜視図である。
【図１９】本発明の一実施例による仮想現実携帯電話を説明するための側面図である。
【図２０】本発明の他の実施例による仮想現実携帯電話を説明するための側面図である。
【発明を実施するための形態】
【００３０】
以下、添付図面に基づいて本発明の好適な実施例を詳細に説明するが、本発明が実施例に制限されるとか限定されるものではない。参考として、本説明において同じ符号は実質的に同一要素を示し、このような規則の下で他の図に記載された内容を引用して説明することができ、当業者に明らかであると判断されるとか繰り返される内容は省略することができる。
【００３１】
本発明の第１実施例を図１〜図８に基づいて説明する。
【００３２】
図１〜図３を参照すると、本実施例による仮想現実携帯電話１００は、メイン胴体１１０、接眼プレート１２０及びスクリーン及び距離調節部材１３０を含む。
【００３３】
メイン胴体１１０は、前面に取り付けられるメインディスプレイ１１２及び後面に取り付けられる仮想現実ディスプレイ１１４を含み、前面のメインディスプレイ１１２又はその他のボタンの操作などによって基本的な通話、アプリケーションの駆動などを遂行することができる。そして、後面の仮想現実ディスプレイ１１４は接眼プレート１２０とともに使用者に仮想現実機能を提供することができる。仮想現実ディスプレイ１１４は使用者の操作又は接眼プレート１２０の移動の感知などによって作動することができる。
【００３４】
接眼プレート１２０は一対の接眼レンズ１２２を含み、使用者は接眼レンズ１２２を介して仮想現実ディスプレイ１１４に表示された映像を見ることができる。接眼レンズ１２２は微細な回転操作によって焦点を調節するようにすることができ、左右幅を調節して眉間距離に対応することができる。この他にも、接眼レンズ１２２の周辺に顔面の形状に対応するクッション又は光をさらに遮断することができる遮光構造などを付け加えることができる。
【００３５】
接眼プレート１２０の外縁にメイン胴体１１０の側面を部分的に覆うフランジをさらに含むこともできる。これは、外縁を遮断することによって内部の部品を保護することはもちろんのこと、その隙間にほこりが流入することを防止することができ、接眼プレート１２０が強固にその形状を維持するようにすることができる。
【００３６】
スクリーン及び距離調節部材１３０は、互いに重なり、長手方向にスライド移動するとか固定される複数のスクリーンダクト１４０を含み、スクリーンダクト１４０は携帯電話の形状に対応して方形に形成されるとか、その他に楕円形あるいは目の形状に合うように８字形の外形を有する形状にも形成されることができる。
【００３７】
スクリーン及び距離調節部材１３０においてスクリーンダクト１４０は金属アンテナのように多少の摩擦状態でスライド移動するから、任意の位置で停止することができるとともに可変距離を維持することもできる。また、スクリーンダクト１４０は４面を外部から遮断することができるから、外部光を効果的に遮断することができる。
【００３８】
本実施例において、スクリーンダクト１４０のうちメイン胴体１１０に固定されるものは、メイン胴体１１０の後面、側面又は内部に装着され、密着状態で総厚さが小さくなるように、その装着位置及び構造を多様に変更することができる。
【００３９】
図４は本発明の一実施例による仮想現実携帯電話のうちスクリーン及び距離調節部材を説明するための断面図である。
【００４０】
図４を参照すると、スクリーン及び距離調節部材１３０を構成するスクリーンダクト１４０は二重壁構造にも形成されることができる。二重壁を構成するスクリーンダクト１４０は内壁１４２及び外壁１４４を含み、内壁１４２及び外壁１４４の全部又は一部の領域で離隔した距離を維持することができる。スクリーンダクト１４０は二重壁構造を形成するから、単一壁構造に比べ、同じ厚さで著しく軽量化した重さを維持し、堅固な構造を形成することができる。
【００４１】
図５は本発明の一実施例による仮想現実携帯電話のうちスクリーン及び距離調節部材を説明するための部分拡大断面図である。
【００４２】
図５の（ａ）を参照すると、スクリーンダクト１４０には、密着状態又は離隔状態を固定するために、内壁から突出した弾性突起１４７をさらに含むことができる。スクリーンダクト１４０が伸びた離隔状態で弾性突起１４７は他のスクリーンダクト１４０の端部を支持することにより、一定の力以下ではスクリーンダクト１４０が互いに重ならないように固定させることができる。
【００４３】
また、図５（ｂ）を参照すると、スクリーンダクト１４０が互いに重なった密着状態で、弾性突起１４７は他のスクリーンダクト１４０に形成された突起収容孔１４９に係合されることにより、やはり一定の力以下ではスクリーンダクト１４０が互いに動けないように固定させることができる。
【００４４】
本実施例では弾性突起１４７がスクリーンダクト１４０の内壁１４２から突出した構造に形成されるが、反対に外壁又は内外壁の両壁から突出した構造に形成されることができ、相互作動を妨げないように伸縮方向に垂直な方向に互いに離隔するように設計されることもできる。また、弾性突起１４７がスプリングによって支持されるものの他にも、リーフスプリングのように自体弾性によって弾性的に支持されるようにすることもできる。
【００４５】
図６は本発明の一実施例による仮想現実携帯電話のうちスクリーン及び距離調節部材を説明するための部分拡大側面図である。
【００４６】
図６を参照すると、図４で説明したように、スクリーン及び距離調節部材１３０のスクリーンダクト１４０は二重壁構造に形成されることができる。このように二重壁で形成される場合、単純に軽量化を具現することの外にも、他の効果をもたらすことができる。例えば、スクリーン及び距離調節部材１３０に通気口を形成するにあたり、第１通気口１４６及び第２通気口１４８を互いに重ならないように形成することにより、外部から光が流入することを遮断することができる。
【００４７】
具体的に、二重壁構造のスクリーンダクト１４０においては、内壁１４２に第１通気口１４６を形成し、外壁１４４には第２通気口１４８を形成する。ここで、図示のように、第１通気口１４６と第２通気口１４８が互いに重ならないように、つまり互いにずれるように形成することにより、外部から光が流入しないようにすることができる。
【００４８】
また図２及び図３を参照すると、スクリーン及び距離調節部材１３０はメイン胴体１１０と接眼プレート１２０の間に介在され、接眼プレート１２０が離隔状態にあるうちに外部光が流入することを遮断することができる。
【００４９】
本実施例において、スクリーンダクト１４０のサイズが次第に減少するとともに前後方向に伸縮可能であるが、反対にスクリーンダクトのサイズが次第に増加するようにすることもでき、スクリーンダクトのサイズが増加してから減少するようにするとか、その反対にすることもできる。
【００５０】
また、スクリーンダクト１４０は沒入度のために外部光を４面で遮断することが好ましいが、一部が開放しても沒入度を深刻に妨げない範囲内でメイン胴体１１０と接眼プレート１２０の間を部分的に遮断することもできる。
【００５１】
図７は本実施例による仮想現実携帯電話を説明するための側面図である。
【００５２】
図７を参照すると、以前の実施例と同様に、仮想現実携帯電話は、メイン胴体１１０、接眼プレート１２０、及びスクリーン及び距離調節部材１３０を含み、後面カバー１５０をさらに含むことができる。
【００５３】
後面カバー１５０は接眼プレート１２０を保護する用途に使われることができ、使用者が着用しているうちにメイン胴体１１０又は接眼プレート１２０の底面から垂れた状態で使われることができる。
【００５４】
後面カバー１５０をメイン胴体１１０に形成する場合、接眼プレート１２０を保護するとともに、仮想現実のコンテンツと連動して特定の匂いを発生させる匂い発生部又は風を発生させる風発生部１７０をさらに形成することができる。
【００５５】
また、仮想現実機能をもっと本物らしく具現するために、離隔状態の携帯電話を使用者の顔面に固定させることができる固定部材１６０をさらに含むことができる。固定部材１６０は一般マスクの耳掛けの形態として提供されることができ、普段には接眼プレート１２０の両側に備えられるが、使用者の便宜によって後方に引き出されて使用者の耳にかかることができる。もちろん、この外にも、メイン胴体１１０に形成されることも可能である。
【００５６】
固定部材１６０はめがねの耳掛けの形態として提供されることもでき、使用者の頭部に固定される弾性バンドの形態としても提供されることができる。
【００５７】
図８を参照すると、本実施例による仮想現実携帯電話は、メイン胴体１１０、接眼プレート１２０、及びスクリーン及び距離調節部材１３１を含み、その具体的な説明は以前の実施例の説明を参照することができる。
【００５８】
ただ、本実施例において、スクリーン及び距離調節部材１３１はメイン胴体１１０の側面を収容し、メイン胴体１１０の側面から後方に引き出されて接眼プレート１２０をメイン胴体１１０から所定の距離に維持させることができ、メイン胴体１１０と接眼プレート１２０の間に光が流入することを遮断することができる。
【００５９】
ここで、スクリーン及び距離調節部材１３１を構成するスクリーンダクト１４０は単一壁又は二重壁の構造に形成されることができ、メイン胴体１１０から次第にサイズが増加しながら連結されることができる。
【００６０】
スクリーン及び距離調節部材１３１の後端部には接眼プレート１２０が装着される。この場合にも、スクリーンダクト１４０の延長によってメイン胴体１１０と接眼プレート１２０の間に実質的な遮断空間を形成することができる。
【００６１】
本発明による第２実施を図９〜図１２に基づいて説明する。
【００６２】
図９は本発明の第２実施例による仮想現実携帯電話の斜視図、図１０は図９の仮想現実携帯電話を後面で示す分解斜視図、図１１は図９の仮想現実携帯電話の密着状態を示す断面図、図１２は図９の仮想現実携帯電話の離隔状態を示す断面図である。
【００６３】
図９〜図１２を参照すると、本発明の第２実施例による仮想現実携帯電話１００は、メイン胴体１１０、メインフレーム１１５、接眼プレート１２０及びスクリーン及び距離調節部材１３０を含む。
【００６４】
メイン胴体１１０は前面に取り付けられるディスプレイ１１２を含み、ディスプレイ１１２又はその他のボタンの操作などによって基本的な通話、アプリケーションの駆動などを遂行することができる。
【００６５】
メイン胴体１１０はメインフレーム１１５内に回転可能に装着されることができ、メイン胴体１１０の回転によってディスプレイ１１２が前方に向かう状態で固定されるとか後方に向かう状態で固定されることができる。
【００６６】
ディスプレイ１１２の方向はメイン胴体１１０の回転状態によって感知することができ、使用者の操作、メイン胴体１１０の方向又は接眼プレート１２０の移動感知などによって仮想現実機能が自動で作動するようにすることもできる。
【００６７】
接眼プレート１２０は一対の接眼レンズ１２２を含み、使用者は接眼レンズ１２２を介して逆転されたディスプレイ１１２に表示された映像を見ることができる。
【００６８】
スクリーン及び距離調節部材１３０は、メインフレーム１１５の後面に装着され、その自体が互いに重なりながら長手方向にスライド移動するとか固定される複数のスクリーンダクト１４０を含むことができる。スクリーンダクト１４０は携帯電話の形状に対応して方形に形成されるとか、あるいは楕円形又は目の形状に合うように８字形の外形を有する形状にも形成されることができる。
【００６９】
本発明による第３実施例を図１３〜図１６に基づいて説明する。
【００７０】
図１３は本発明の第３実施例による仮想現実携帯電話の斜視図、図１４は図１３の仮想現実携帯電話を後面で示す分解斜視図、図１５は図１３の仮想現実携帯電話の側面図である。
【００７１】
図１３〜図１５を参照すると、本実施例による仮想現実携帯電話２００は、メイン胴体２１０、メインフレーム２１５、接眼プレート２２０及びスクリーン及び距離調節部材２３０を含む。
【００７２】
メイン胴体２１０は前面に取り付けられるディスプレイ２１２を含み、ディスプレイ２１２又はその他のボタンの操作などによって基本的な通話、アプリケーションの駆動などを遂行することができる。
【００７３】
メイン胴体２１０は前面に取り付けられるディスプレイ２１２を含み、メインフレーム２１５内に回転可能に装着されることにより、ディスプレイ２１２が前方に向かう状態で固定されるとか後方に向かう状態で固定されることができる。
【００７４】
ディスプレイ２１２の方向はメイン胴体２１０の回転状態によって感知することができ、使用者の操作、メイン胴体２１０の方向又は接眼プレート２２０の移動感知などによって仮想現実機能が自動で作動するようにすることもできる。
【００７５】
接眼プレート２２０は一対の接眼レンズ２２２を含み、使用者は接眼レンズ２２２を介して逆転されたディスプレイ２１２に表示された映像を見ることができる。
【００７６】
スクリーン及び距離調節部材２３０は距離調節部２３１及び遮光スクリーン２４０を含み、距離調節部２３１は中央一側で互いに回転可能に連結される第１リンク２３２及び第２リンク２３４を含み、第１リンク２３２の他端はメインフレーム２１５に回転可能に連結され、第２リンク２３４の他端は接眼プレート２２０に回転可能に連結される。
【００７７】
第１リンク２３２及び第２リンク２３４を含む４個の組合せがメインフレーム２１５の４角部で接眼プレート２２０を連結し、第１リンク２３２及び第２リンク２３４は一字形に展開するとかＶ字形に折り畳まれることによって接眼プレート２２０を離隔状態と密着状態の間で移動させることができる。
【００７８】
図１６は本実施例による仮想現実携帯電話のうち距離調節部材を説明するための部分拡大図である。
【００７９】
図１６を参照すると、第１リンク２３２は長さ調節及び固定可能に提供されることができる。このために、第１リンク２３２は互いに重畳する長さを調節することができる２個以上のロッド２３６、２３７を含み、ロッド２３６、２３７の少なくとも一方には長手方向に長孔が形成され、長孔には微細調節ネジ２３８が装着されることによってロッド２３６、２３７間の重畳長を調節及び固定することができる。
【００８０】
この他にも、長孔に一定の間隔で複数の係止突起を形成し、係止突起を移動させることによってロッド間の重畳長を調節することができる。
【００８１】
このように重畳長を調節することにより、必要によって微細な距離調整が可能であり、４個のリンク組合せを独立的に調節することによって接眼ディスプレイの角度、ディスプレイ横軸に対するずれも調節することができる。
【００８２】
また、図１３及び図１４を参照すると、遮光スクリーン２４０はメインフレーム２１５と接眼プレート２２０の間に介在され、接眼プレート２２０が離隔状態にあるうちに外部光が流入することを遮断することができる。
【００８３】
本実施例において、遮光スクリーン２４０はベローズ状に形成され、両端がそれぞれメインフレーム２１５及び接眼プレート２２０に固定されて実質的に完璧な暗室をなしている。しかし、遮光スクリーン２４０はベローズではなく、伸縮性に優れた素材から形成されることができる。いずれか一方に固定されているが、離隔状態に至ってからこそ他方に固定されるように設計することもできる。
【００８４】
また、遮光スクリーン２４０は沒入度のために外部光を４面で遮断することが好ましいが、開放しても沒入度を深刻に妨げない範囲内でメインフレーム２１５と接眼プレート２２０の間を部分的に遮断することもできる。
【００８５】
本発明の第４実施例を図１７〜図２０に基づいて説明する。
【００８６】
図１７は本発明の第４実施例による仮想現実携帯電話の斜視図、図１８は図１７の仮想現実携帯電話を後面で示す分解斜視図である。
【００８７】
図１７及び図１８を参照すると、本実施例による仮想現実携帯電話１００は、メイン胴体１１０、接眼プレート１２０、距離調節部材１３０及び遮光スクリーン１４０を含む。
【００８８】
メイン胴体１１０は前面に取り付けられるメインディスプレイ１１２及び後面に取り付けられる仮想現実ディスプレイ１１４を含み、前面のメインディスプレイ１１２又はその他のボタンの操作などによって基本的な通話、アプリケーションの駆動などを遂行することができる。そして、後面の仮想現実ディスプレイ１１４は接眼プレート１２０とともに使用者に仮想現実機能を提供することができる。仮想現実ディスプレイ１１４は使用者の操作又は接眼プレート１２０の移動感知などによって作動することができる。
【００８９】
接眼プレート１２０は一対の接眼レンズ１２２を含み、使用者は接眼レンズ１２２を介して仮想現実ディスプレイ１１４に表示された映像を見ることができる。接眼レンズ１２２は微細な回転操作によって焦点を調節することができ、左右幅を調節して眉間距離に対応することができる。この他にも、接眼レンズ１２２の周辺に顔面形状に対応するクッション又は光をさらに遮断することができる遮光構造などを付け加えることができる。
【００９０】
接眼プレート１２０の外縁にメイン胴体１１０の側面を部分的に覆うフランジをさらに含むこともでき、外縁を遮断することによって内部の部品を保護することはもちろんのこと、その隙間にほこりが流入することを防止することができ、接眼プレート１２０が強固にその形状を維持するようにすることができる。
【００９１】
距離調節部材１３０は中央一側で互いに回転可能に連結される第１リンク１３２及び第２リンク１３４を含み、第１リンク１３２の他端はメイン胴体１１０に回転可能に連結され、第２リンク１３４の他端は接眼プレート１２０に回転可能に連結される。
【００９２】
第１リンク１３２及び第２リンク１３４を含む４個の組合せがメイン胴体１１０の４角部で接眼プレート１２０を連結し、第１リンク１３２及び第２リンク１３４は一字形に展開するとかＶ字形に折り畳まれることによって接眼プレート１２０を離隔状態及び密着状態の間で移動させることができる。
【００９３】
本実施例において、遮光スクリーン１４０はベローズ状に形成され、両端がそれぞれメイン胴体１１０及び接眼プレート１２０に固定されることによって実質的に完璧な暗室を形成している。しかし、遮光スクリーン１４０はベローズではなく、伸縮性に優れた素材から形成されることができる。いずれか一方に固定されているが、離隔状態に至ってからこそ他方に固定されるように設計することもできる。
【００９４】
図１９は本発明の第４実施例による仮想現実携帯電話を説明するための側面図である。
【００９５】
図１９を参照すると、以前の実施例と同様に、仮想現実携帯電話は、メイン胴体１１０、接眼プレート１２０、距離調節部材１３０及び遮光スクリーン１４０を含み、後面カバー１５０をさらに含むことができる。
【００９６】
後面カバー１５０は接眼プレート１２０を保護する用途に使われることができ、使用者が着用しているうちメイン胴体１１０又は接眼プレート１２０の底面から垂れた状態で使われることができる。
【００９７】
後面カバー１５０をメイン胴体１１０に形成する場合、接眼プレート１２０を保護するとともに仮想現実のコンテンツと連動して特定の匂いを発生させる匂い発生部又は風を発生させる風発生部１７０をさらに形成することができる。
【００９８】
また、仮想現実機能をもっと本物らしく具現するため、離隔状態の携帯電話を使用者の顔面に固定させることができる固定部材１６０をさらに含むことができる。固定部材１６０は一般マスクの耳掛けの形態として提供されることができ、普段にはメイン胴体１１０の後面両側に備えられるが、使用者の便宜によって後方に引き出されて使用者の耳にかかることができる。
【００９９】
固定部材１６０はめがねの耳掛けの形態として提供されることもでき、使用者の頭部に固定される弾性バンドの形態としても提供されることができる。
【０１００】
図２０は本発明のさらに他の実施例による仮想現実携帯電話を説明するための側面図である。
【０１０１】
図２０を参照すると、本実施例による仮想現実携帯電話はメイン胴体１１０及び接眼プレート１２０を含み、その具体的な説明は以前の実施例の説明を参照することができる。
【０１０２】
ただ、本実施例スクリーン兼用距離調節部材１８０を含み、これは以前の実施例の距離調節部材及び遮光スクリーンを取り替えることができる。具体的に、スクリーン兼用距離調節部材１８０は互いに重なりながら長手方向にスライド移動するとか固定される複数のスクリーンダクトを含み、スクリーンダクトは携帯電話の形状に対応して方形に形成されるとか、あるいは楕円形又は目の形状に合うように８字形の外形を有する形状にも形成されることができる。
【０１０３】
上述したように、本発明の好適な実施例を参照して説明したが、当該技術分野の熟練した当業者であれば下記の請求範囲に記載された本発明の思想及び領域から逸脱しない範疇内で本発明を多様に修正及び変更することができることが理解可能であろう。
【図１】
2019520777.tif 000003
【図２】
2019520777.tif 000004
【図３】
2019520777.tif 000005
【図４】
2019520777.tif 000006
【図５】
2019520777.tif 000007
【図６】
2019520777.tif 000008
【図７】
2019520777.tif 000009
【図８】
2019520777.tif 000010
【図９】
2019520777.tif 000011
【図１０】
2019520777.tif 000012
【図１１】
2019520777.tif 000013
【図１２】
2019520777.tif 000014
【図１３】
2019520777.tif 000015
【図１４】
2019520777.tif 000016
【図１５】
2019520777.tif 000017
【図１６】
2019520777.tif 000018
【図１７】
2019520777.tif 000019
【図１８】
2019520777.tif 000020
【図１９】
2019520777.tif 000021
【図２０】
2019520777.tif 000022
【国際調査報告】
2019520777.tif 000023
2019520777.tif 000024
2019520777.tif 000025
2019520777.tif 000026